(57)【要約】【課題】各加入者側の宅内伝送装置からの信号を集線する局側において使用される局側伝送装置であって、ネットワーク機器の監視を行う際に、通信トラフィックを低減するすることが可能な局側伝送装置を提供する。【解決手段】宅内伝送装置１０．１〜１０．ｎは加入者のＰＣ２．１〜２．ｎからのデータと保守信号を多重化し、伝送線路、たとえば、光ファイバ１２にて局側伝送装置１００と接続される。局側伝送装置１００に宅内伝送装置１０．１〜１０．ｎから送信された保守信号は、システム管理者により予め設定された設定情報に基づいて選択された上で、集中監視装置３００に転送される。【選択図】　　　　図１
2004015645.tif 000002
【特許請求の範囲】
【請求項１】
加入者宅に設置する宅内伝送装置との通信を行う加入者通信インターフェースと、
前記宅内伝送装置からの信号のうち上流伝送装置に向けたデータを選択的に前記上流伝送装置に向けて通信するアップリンクインタフェースと、
前記宅内伝送装置の障害情報および前記宅内伝送装置との通信障害情報を集中監視装置に送信する障害通信インターフェースと、
前記加入者通信インターフェースにより前記宅内伝送装置から受信した信号のうち宅内伝送装置の状態を示す障害情報を処理する保守信号受信部と、
前記加入者通信インターフェースと前記宅内伝送装置との通信状態に関する障害情報を検知する通信状態検出部と、
前記集中監視装置へ通知する前記障害情報の種類を宅内伝送装置ごとに保持する設定情報保持部と、
前記設定情報保持部に設定された情報に基づいて、前記保守信号受信部で受信した前記障害情報および前記通信状態検出部にて検出した前記障害情報のうち、前記集中監視装置に通知すべき障害情報を判断する障害通知判断部と、
前記障害通知判断部の判断結果に対応する前記障害情報を前記集中監視装置に送出する障害情報送出部とを備える、局側伝送装置。
【請求項２】
前記設定情報保持部には、各々が、前記障害情報の種類に対応する複数のフィールドを有する複数の監視テンプレートが前記宅内伝達装置ごとに対応付けられて格納され、
前記障害通知判断部は、前記監視テンプレートにより該当項目が通知するように設定されてる項目が変化した時に、対応する障害情報を障害情報送出部に送出する、請求項１に記載の局側伝送装置。
【請求項３】
前記監視テンプレートは、少なくとも、宅内伝送装置故障状態と、宅内伝送装置電源状態と、宅内伝送装置リンク状態と、局側伝送装置リンク状態の送信の可否を指定する、請求項２記載の局側伝送装置。
【請求項４】
前記障害通知判断部は、通信障害発生により前記宅内伝送装置の一つ以上の監視項目が取得できなくなった場合には、取得できなくなる前の状態を保持し、再度取得可能になった際に、元の状態と同じ状態に戻ったときは、前記集中監視装置に通知しないように、前記障害情報の送信をマスクする、請求項２または３のいずれか１項に記載の局側伝送装置。
【請求項５】
前記設定情報保持部には、監視モードを指定する情報が格納され、前記宅内伝送装置ごとに１つの監視モードが設定され、
前記障害通知判断部は、前記監視モードに設定されている項目が変化した時のみ、前記障害情報を障害情報送出部に送る、請求項１記載の局側伝送装置。
【請求項６】
前記監視モードは、少なくとも無監視モード、宅内伝送装置故障状態監視モード、宅内伝送装置故障・通信異常監視モードを含む、請求項５記載の局側伝送装置。
【請求項７】
前記障害内容判断部は、前記宅内伝送装置ごとに設定される監視モードに対応するオートマトンとして処理を実行し、かつ、前記保守信号受信部および前記通信状態検出部にて検出した前記障害情報により前記オートマトンの状態を遷移させる、請求項１、５および６のいずれか１項に記載の局側伝送装置。
【請求項８】
前記監視モードに対応するオートマトンは、少なくとも通常状態と宅内伝送装置故障状態のみのオートマトンを有し、前記保守信号受信部にて前記宅内伝送装置の故障を受信した時のみ前記宅内伝送装置故障状態に移行し、前記宅内伝送装置が故障していないという信号を受信した時のみ、前記通常状態に移行する、請求項７記載の局側伝送装置。
【請求項９】
前記監視モードに対応するオートマトンは、少なくとも通常状態と宅内伝送装置故障状態と伝送路故障状態のみのオートマトンを有し、
前記オートマトンは、前記通常状態にて前記宅内伝送装置の故障を受信した時のみ前記宅内伝送装置故障状態に移行し、少なくとも前記通常状態にて電源断信号の受信なしに前記局側伝送装置のリンク断が検出された時には伝送路故障状態に移行するとともに、前記宅内伝送装置故障状態にて前記宅内伝送装置が故障していないという信号を前記局側伝送装置が受信した時および前記伝送路故障状態にて前記局側伝送装置と宅内伝送装置との間の通信が正常に戻った時に前記通常状態となる、請求項７または８のいずれか１項に記載の局側伝送装置。
【請求項１０】
前記保守信号受信部および前記通信状態検出部にて特定の種類の障害を検出した後、一定時間以内に別の種顛の障害を検出した場合、前記障害通知判断部は、検出された障害のうち、少なくとも１種類の障害を前記障害情報送出部に通知しない、請求項１〜９のいずれか１項に記載の局側伝送装置。
【請求項１１】
前記障害通知判断部は、前記宅内伝送装置の電源断から一定時間以内に前記局側伝送装置のリンク断が発生した場合、前記宅内伝送装置の電源断のみを通知する、請求項１０記載の局側伝送装置。
【請求項１２】
前記障害情報送出部において生成される前記集中監視装置への通知は、少なくとも宅内伝送装置電源状態通知と、宅内伝送装置故障状態通知と、宅内伝送装置リンク状態通知と、局側伝送装置リンク状態通知とに関する情報を有する、請求項１〜１１のいずれか１項に記載の局側伝送装置。
【請求項１３】
前記障害情報送出部において生成される前記集中監視装置への通知は、少なくとも通信可能状態と、局側伝送装置リンク断状態と、宅内伝送装置故障状態と、宅内伝送装置電源断状態と、宅内伝送装置リンク断状態とに関する情報を有する、請求項１〜１１のいずれか１項に記載の局側伝送装置。
【請求項１４】
通信障害発生により前記宅内伝送装置の監視項目が取得できなくなった場合に、前記障害情報送出部では監視項目が取得できなくなる直前の状況を前記障害情報に付加する、請求項１１〜１３のいずれか１項に記載の局側伝送装置。
【請求項１５】
前記局側伝送装置から前記集中監視装置への通知は、ＳＮＭＰトラップを使用する、請求項１〜１４のいずれか１項に記載の局側伝送装置。
【請求項１６】
加入者宅に設置し少なくとも１種類の自機の状態に関する障害情報を局側伝送装置に通知する機能を持つ宅内伝送装置と、複数の前記宅内伝送装置と通信する局側伝送装置と、少なくとも１つの前記局側伝送装置との間でデータ通信を行う上流伝送装置と、複数の前記局側伝送装置からの前記障害情報を収集する集中監視装置とを備え、前記障害情報以外の前記宅内伝送装置との通信データは前記上流伝送装置に転送する加入者データ通信システムにおける通信システム監視方法であって、
前記宅内伝送装置からの前記障害情報と前記宅内伝送装置との通信障害に関する障害情報のうち、前記集中監視装置に送信する情報を前記宅内伝送装置ごとに設定するステップと、
前記宅内伝送装置に対応する予め設定した種類の前記障害情報を選択的に、前記集中監視装置へ通知するステップとを備える、通信システム監視方法。
【請求項１７】
前記集中監視装置には前記宅内伝送装置の状態を記憶しておき、前記局側伝送装置より前記障害情報が通知されたときに、直前の状態と比較して、当該局内伝送装置の監視項目でかつ変化があった項目のみを表示するステップをさらに備える、請求項１６記載の通信システム監視方法。
【請求項１８】
前記宅内伝送装置に障害がない時および監視項目には障害がない時は、前記集中監視装置において記憶される前記宅内伝送装置の状態に対する更新処理が行われないことを特徴とする、請求項１７記載の通信システム監視方法。
【請求項１９】
前記局側伝送装置では現在発生中の異常状態を保持し、前記集中監視装置は、定期的に、前記局側伝送装置に保持されている前記異常状態をポーリングすることを特徴とする、請求項１６〜１８のいずれか１項に記載の通信システム監視方法。
【請求項２０】
前記集中監視装置において表示される障害情報の種類は、前記局側伝送装置において予め設定された前記宅内伝送装置ごとに指定された種類の障害情報と同じであることを特徴とする、請求項１９記載の通信システム監視方法。
【発明の詳細な説明】
【０００１】
【発明の属する技術分野】
本発明は、加入者データ通信において使用される局側伝送装置および当該加入者データ通信を構成するネットワークの障害情報を監視する通信システム監視方法に関する。
【０００２】
【従来の技術】
多数のホストから構成されるネットワーク、たとえば、インターネット接続サービスのために各サービス加入者宅から電話局内の局内集線装置を介してインターネットへの接続を実現するようなネットワークでは、トラブルシューティングのために、ネットワーク機器を管理するための監視システムが設けられるのが一般的である。
【０００３】
【発明が解決しようとする課題】
ただし、多数のホストと伝送装置から構成されるネットワークにおいては、上述したような監視を行うための集中監視装置と伝送装置との間の通信トラフィックが大変大きくなるという問題がある。
【０００４】
たとえば、加入者データ通信システム（加入者が数千〜数十万件以上）に、上述したような監視システムを応用すると膨大な通信トラフィックとなり、通信コストが高くつき、場合によっては障害情報の取り逃しやシステムダウンが起りうる。これは、障害の発生した伝送装置からの障害情報（保守情報）を全て集中監視制御装置に送信するため、実際には、集中監視制御装置においては表示を行わない障害まで集中監視制御装置に通信してしまうことに原因がある。
【０００５】
たとえば、特開平４−１７４２９号公報には、ネットワーク機器についての監視を行っている場合、集中監視を行う集中監視局と複数の被監視伝送装置との間の障害情報の伝達にあたって、これらの間を多段階層に接続して監視システムを形成し、当該複数の被監視伝送装置において発生した全障害情報を集中監視局が備える集中監視制御装置に集めて監視する集中監視制御方式が開示されている。
【０００６】
この特開平４−１７４２９号公報に開示された集中監視制御方式では、集中監視制御装置の内部に主プロセッサが備えられる。この主プロセッサは、障害情報を抑制すべき、ある伝送装置のアドレスを登録しておき、この登録した伝送装置の障害情報のマスク処理を行って、中間階層の監視装置に対して、登録した伝送装置の障害情報のマスクを指示することで、集中監視制御装置への障害情報の伝送を抑制する。
【０００７】
このような構成とすることで、伝送路の障害、伝送装置自身の障害等が発生した場合に、当該障害装置よりも上位の監視装置では障害情報が送出されたままとなって表示されることを防ぐことができる。したがって、システム管理者が、障害の発生した被監視伝送装置に対して、現地調整・顧客立会い試験等を円滑に行うことができる。
【０００８】
しかしながら、この特開平４−１７４２９号公報に開示された集中監視制御方式では、上述のように、障害が発生した場合の調整・復旧作業中の障害情報伝送のトラフィックを緩和できるものの、定常的にネットワークを監視中の通信トラフィックを抑制することはできない、という問題点があった。
【０００９】
本発明は、上述の課題を解決するためになされたもので、その目的は、各加入者側の宅内伝送装置からの信号を集線する局側において使用される局側伝送装置であって、ネットワーク機器の監視を行う際に、通信トラフィックを低減するすることが可能な局側伝送装置および通信システム監視方法を提供することである。
【００１０】
【課題を解決するための手段】
この発明の１つの局面に従うと、加入者宅に設置する宅内伝送装置との通信を行う加入者通信インターフェースと、宅内伝送装置からの信号のうち上流伝送装置に向けたデータを選択的に上流伝送装置に向けて通信するアップリンクインタフェースと、宅内伝送装置の障害情報および宅内伝送装置との通信障害情報を集中監視装置に送信する障害通信インターフェースと、加入者通信インターフェースにより宅内伝送装置から受信した信号のうち宅内伝送装置の状態を示す障害情報を処理する保守信号受信部と、加入者通信インターフェースと宅内伝送装置との通信状態に関する障害情報を検知する通信状態検出部と、集中監視装置へ通知する障害情報の種類を宅内伝送装置ごとに保持する設定情報保持部と、設定情報保持部に設定された情報に基づいて、保守信号受信部で受信した障害情報および通信状態検出部にて検出した障害情報のうち、集中監視装置に通知すべき障害情報を判断する障害通知判断部と、障害通知判断部の判断結果に対応する障害情報を集中監視装置に送出する障害情報送出部とを備える。
【００１１】
好ましくは、設定情報保持部には、各々が、障害情報の種類に対応する複数のフィールドを有する複数の監視テンプレートが宅内伝達装置ごとに対応付けられて格納され、障害通知判断部は、監視テンプレートにより該当項目が通知するように設定されてる項目が変化した時に、対応する障害情報を障害情報送出部に送出する。
【００１２】
好ましくは、監視テンプレートは、少なくとも、宅内伝送装置故障状態と、宅内伝送装置電源状態と、宅内伝送装置リンク状態と、局側伝送装置リンク状態の送信の可否を指定する。
【００１３】
好ましくは、障害通知判断部は、通信障害発生により宅内伝送装置の一つ以上の監視項目が取得できなくなった場合には、取得できなくなる前の状態を保持し、再度取得可能になった際に、元の状態と同じ状態に戻ったときは、集中監視装置に通知しないように、障害情報の送信をマスクする。
【００１４】
好ましくは、設定情報保持部には、監視モードを指定する情報が格納され、宅内伝送装置ごとに１つの監視モードが設定され、障害通知判断部は、監視モードに設定されている項目が変化した時のみ、障害情報を障害情報送出部に送る。
【００１５】
好ましくは、監視モードは、少なくとも無監視モード、宅内伝送装置故障状態監視モード、宅内伝送装置故障・通信異常監視モードを含む。
【００１６】
好ましくは、障害内容判断部は、宅内伝送装置ごとに設定される監視モードに対応するオートマトンとして処理を実行し、かつ、保守信号受信部および通信状態検出部にて検出した障害情報によりオートマトンの状態を遷移させる。
【００１７】
好ましくは、監視モードに対応するオートマトンは、少なくとも通常状態と宅内伝送装置故障状態のみのオートマトンを有し、保守信号受信部にて宅内伝送装置の故障を受信した時のみ宅内伝送装置故障状態に移行し、宅内伝送装置が故障していないという信号を受信した時のみ、通常状態に移行する。
【００１８】
好ましくは、監視モードに対応するオートマトンは、少なくとも通常状態と宅内伝送装置故障状態と伝送路故障状態のみのオートマトンを有し、オートマトンは、通常状態にて宅内伝送装置の故障を受信した時のみ宅内伝送装置故障状態に移行し、少なくとも通常状態にて電源断信号の受信なしに局側伝送装置のリンク断が検出された時には伝送路故障状態に移行するとともに、宅内伝送装置故障状態にて宅内伝送装置が故障していないという信号を局側伝送装置が受信した時および伝送路故障状態にて局側伝送装置と宅内伝送装置との間の通信が正常に戻った時に通常状態となる。
【００１９】
好ましくは、保守信号受信部および通信状態検出部にて特定の種類の障害を検出した後、一定時間以内に別の種顛の障害を検出した場合、障害通知判断部は、検出された障害のうち、少なくとも１種類の障害を障害情報送出部に通知しない。
【００２０】
好ましくは、障害通知判断部は、宅内伝送装置の電源断から一定時間以内に局側伝送装置のリンク断が発生した場合、宅内伝送装置の電源断のみを通知する。
【００２１】
好ましくは、障害情報送出部において生成される集中監視装置への通知は、少なくとも宅内伝送装置電源状態通知と、宅内伝送装置故障状態通知と、宅内伝送装置リンク状態通知と、局側伝送装置リンク状態通知とに関するう情報を有する。
【００２２】
好ましくは、障害情報送出部において生成される集中監視装置への通知は、少なくとも通信可能状態と、局側伝送装置リンク断状態と、宅内伝送装置故障状態と、宅内伝送装置電源断状態と、宅内伝送装置リンク断状態とに関する情報を有する。
【００２３】
好ましくは、通信障害発生により宅内伝送装置の監視項目が取得できなくなった場合に、障害情報送出部では監視項目が取得できなくなる直前の状況を障害情報に付加する。
【００２４】
好ましくは、局側伝送装置から集中監視装置への通知は、ＳＮＭＰトラップを使用する。
【００２５】
この発明の他の局面に従うと、加入者宅に設置し少なくとも１種類の自機の状態に関する障害情報を局側伝送装置に通知する機能を持つ宅内伝送装置と、複数の宅内伝送装置と通信する局側伝送装置と、少なくとも１つの局側伝送装置との間でデータ通信を行う上流伝送装置と、複数の局側伝送装置からの障害情報を収集する集中監視装置とを備え、障害情報以外の宅内伝送装置との通信データは上流伝送装置に転送する加入者データ通信システムにおける監視方法っであって、宅内伝送装置からの障害情報と宅内伝送装置との通信障害に関する障害情報のうち、集中監視装置に送信する情報を宅内伝送装置ごとに設定するステップと、宅内伝送装置に対応する予め設定した種類の障害情報を選択的に、集中監視装置へ通知するステップとを備える。
【００２６】
好ましくは、集中監視装置には宅内伝送装置の状態を記憶しておき、局側伝送装置より障害情報が通知されたときに、直前の状態と比較して、当該局内伝送装置の監視項目でかつ変化があった項目のみを表示するステップをさらに備える。
【００２７】
好ましくは、宅内伝送装置に障害がない時および監視項目には障害がない時は、集中監視装置において記憶される宅内伝送装置の状態に対する更新処理が行われない。
【００２８】
好ましくは、局側伝送装置では現在発生中の異常状態を保持し、集中監視装置は、定期的に、局側伝送装置に保持されている異常状態をポーリングする。
【００２９】
好ましくは、集中監視装置において表示される障害情報の種類は、局側伝送装置において予め設定された宅内伝送装置ごとに指定された種類の障害情報と同じである。
【００３０】
【発明の実施の形態】
以下、図面を参照しつつ本発明の実施の形態について詳細に説明する。以下の説明では、同一の構成部分には同一の符号を付してあり、それらの名称および機能も同じである。したがって、それらについての詳細な説明は繰り返さない。
【００３１】
［実施の形態１］
［ネットワークの構成］
図１は、本発明の局側伝送装置１００を用いたネットワークの構成を説明するための概念図である。
【００３２】
図１を参照して、宅内伝送装置１０．１〜１０．ｎ（ｎ：自然数）は加入者のパーソナルコンピュータ（以下、「ＰＣ」と呼ぶ）２．１〜２．ｎからのデータと保守信号を多重化し、伝送線路、たとえば、光ファイバ１２にて局側伝送装置１００と接続される。したがって、図１は、本発明の構成を説明するために、いわゆる「ＦＴＴＨ（Ｆｉｂｅｒ　Ｔｏ　Ｔｈｅ　Ｈｏｍｅ）」の構成を例として示すものである。したがって、宅内伝送装置１０．１〜１０．ｎから局側伝送装置１００への伝送線路は、光ファイバに限定されるものではない。
【００３３】
ここで、図１のネットワークの物理レイヤは、特に限定されないが、たとえば、イーサネット（Ｒ）であって、ＰＣ２．１〜２．ｎと宅内伝送装置１０．１〜１０．ｎとの間のネットワーク規格は、１０ＢＡＳＥ−Ｔまたは１００ＢＡＳＥ−ＴＸであり、宅内伝送装置１０．１〜１０．ｎと局側伝送装置１００との間の光ファイバによるネットワーク規格は、１００ＢＡＳＥ−ＦＸであるものとする。
【００３４】
宅内伝送装置１０．１〜１０．ｎから局側伝送装置１００へは、イーサパケットの他に、保守情報を伝達するための保守信号も伝送される。図１において、実線は、イーサパケットの流れを示し、点線は、保守信号の流れを示す。
【００３５】
後に説明するように、局側伝送装置１００は、データリンク層での中継制御を行う「レイヤ２スイッチ」として機能する。したがって、局側伝送装置１００は、イーサパケットについては、これをネットワーク層での中継制御を行うための上流のレイヤ３スイッチ２００に伝送する。イーサパケットは、レイヤ３スイッチ２００から、さらに、たとえばインターネットなどの公衆回線網３０に送出される。なお、イーサパケットについては、公衆回線網３０から、レイヤ３スイッチ２００、局側伝送装置１００、宅内伝送装置１０．１〜１０．ｎを経て、ＰＣ２．１〜２．ｎに向かう方向の信号の流れも存在する。
【００３６】
一方、局側伝送装置１００に宅内伝送装置１０．１〜１０．ｎから送信された保守信号は、システム管理者により予め設定された設定情報に基づいて選択された上で、集中監視装置３００に転送される。ここで、宅内伝送装置１０．１〜１０．ｎと局側伝送装置１００との間および局側伝送装置１００と集中監視装置３００との間の通信プロトコルは、ネットワーク管理プロトコルのＳＮＭＰ（Ｓｉｍｐｌｅ　Ｎｅｔｗｏｒｋ　Ｍａｎａｇｅｍｅｎｔ　Ｐｒｏｔｏｃｏｌ）に従うものとする。
【００３７】
局側伝送装置１００、レイヤ３スイッチ２００、集中監視装置３００は、宅内伝送装置１０．１〜１０．ｎからの信号を公衆回線網３０に伝送するための設備、たとえば、電話局２０内に設置される。
【００３８】
［保守信号の内容］
図２は、図１で説明した保守信号が伝送する保守情報（障害情報）の例を説明するための概念図である。図２においては、図１に示した構成のうち、宅内伝送装置１０．１に関わる部分を抜き出して示す。
【００３９】
保守信号は、１パケットに、宅内伝送装置１０．１の故障状態、宅内伝送装置１０．１の電源状態（電源がオフ状態か否か）、局側伝送装置１００−宅内伝送装置１０．１間のリンク状態、宅内伝送装置１０．１−ＰＣ２．１間のリンク状態に関する保守情報が含まれる。
【００４０】
宅内伝送装置１０．１は、上記の各保守情報と関連する状態が変化した時に、保守情報を含む保守信号を局側伝送装置１００に送出する。また局側伝送装置１００から要求を宅内伝送装置１０．１に送ることで、宅内伝送装置１０，１の現在の状況を、局側伝送装置１００が取得することも可能である。
【００４１】
［局側伝送装置１００の構成および動作］
図３は、局側伝送装置１００の構成の構成を説明するための概略ブロック図である。図３においては、宅内伝送装置１０．１〜１０．ｎからのアップリンクの構成を示す。
【００４２】
図２を参照して、局側伝送装置１００は、宅内伝送装置１０．１〜１０．ｎとの間で信号を授受する際の接続を行うための光リンク部１１０と、光リンク部１１からの信号に対して、物理レイヤの処理を行うための物理リンク部（以下、ＰＨＹと呼ぶ）１２０とを備える。ＰＨＹ１２０には、複数のポートが設けられており、各ポートに対応して、複数の宅内伝送装置１０．１〜１０．ｎとリンクすることが可能である。
【００４３】
局側伝送装置１００は、さらに、ＰＨＹ１２０からの信号を受けて、イーサパケットと保守信号の分離を行うＦＰＧＡ（Ｆｉｅｌｄ　Ｐｒｏｇｒａｍｍａｂｌｅ　Ｇａｔｅ　Ａｒｒａｙ）１３０と、後に説明するように、分離された保守信号に対応する障害情報と局内伝送装置１００自身において検出された障害情報とのうち、集中監視装置３００へ伝送する情報を選択する処理を行うためのＣＰＵ（Ｃｅｎｔｒａｌ　Ｐｒｏｃｅｓｓｉｎｇ　Ｕｎｉｔ）１３１と、ＣＰＵ１３１との間でデータの授受を行い当該データを記憶するメモリ１５０と、ＰＨＹ１２０から信号を受けて、イーサパケットについて中継制御を行い、上流の伝送装置のレイヤ３スイッチ２００へ伝えるためのレイヤ２スイッチ１４０とを備える。なお、ＦＰＧＡ１３０の機能は、同様の論理処理を行うことが可能なハードウェア、またはハードウェアとソフトウェアの組み合わせにより実現することも可能である。また、ＣＰＵ１３１の行う処理は、メモリ１５０中に格納されたプログラムに基づき、リアルタイムＯＳ（Ｏｐｅｒａｔｉｎｇ　Ｓｙｓｔｅｍ）において実行される。
【００４４】
図４は、図３で説明した局側伝送装置１００、特にＦＰＧＡ１３０およびＣＰＵ１３１の動作と、集中監視装置３００の動作を機能の連携として説明するための機能ブロック図である。
【００４５】
図４を参照して、局側伝送装置１００では、光リンク部１１０およびＰＨＹ１２０からなる加入者通信インタフェース（以下、加入者通信Ｉ／Ｆと呼ぶ）を介して宅内伝送装置１０．１から受信した信号のうち、加入者のデータ（イーサパケット）をアップリンクインタフェース（以下、アップリンクＩ／Ｆと呼ぶ）１４０を介して、上流伝送装置であるレイヤ３スイッチ２００に伝送し、保守信号は、ＦＰＧＡ１３０において保守信号受信タスクを実現する保守信号受信部により分離される。
【００４６】
さらに、ＣＰＵ１３１において通信状態検出タスクを実現する通信状態検出部１３２は、宅内伝送装置−局側伝送装置間の物理層でのリンク状態を監視している。また、ＣＰＵ１３１において装置状態検出タスクを実現する装置状態検出部１３３では、局側伝送装置１００自身の電源状態や空冷用のファンの状態などを監視している。
【００４７】
さらに、ＣＰＵ１３１においてその機能が実現される設定情報保持部１３４は、設定情報メモリとして機能するメモリ１５０との間で設定情報の授受を行い、後に説明するように、宅内伝送装置１０．１〜１０．ｎごとに、集中監視装置３００に対して伝送するべき保守情報の種類を指定するための複数のフィールドからなる監視テンプレートを保持し、障害通知判断部１３５に出力する。つまり、この監視テンプレートは、たとえば、宅内伝送装置１０．１からの保守情報の各々を示す複数ビットからなる情報のうち、いずれのビットのデータを集中監視装置３００に伝送するかを決めるマスク情報として機能する。ＣＰＵ１３１において障害通知判断タスクの機能を実現する障害通知判断部１３５では、監視テンプレートにて該当項目が通知するように設定されている項目が、以前に受信した状態から変化したことを検出した時のみ、当該保守情報（障害情報）を障害情報送出部１３６に送る。ＣＰＵ１３１においてその機能が実現される障害情報送出部１３６では、障害情報を集中監視装置３００に対して送信するためのパケットにする。
【００４８】
さらに、上述した設定情報メモリ１５０では、宅内伝送装置ごとに、集中監視装置３００に対して送信する障害情報の種類に応じて指定される監視モードに従って、「無監視モード」、「宅内伝送装置故障監視モード」、「通信異常監視モード」、「宅内伝送装置故障・通信異常監視モード」、「全項目監視モード」に分けて、障害情報を管理している。
【００４９】
たとえば、「無監視モード」では、監視テンプレートの設定により、当該監視プレートに対応するポートの宅内伝送装置については、一切の保守情報（障害情報）を集中監視装置３００に伝送しない。また、「宅内伝送装置故障監視モード」では、対応するポートの宅内伝送装置の故障状態に関する障害情報のみが集中監視装置３００に伝送される。「通信異常監視モード」では、リンク切れなどの通信異常に関する障害情報のみが集中監視装置３００に伝送される。「宅内伝送装置故障・通信異常監視モード」では、宅内伝送装置の故障状態および通信状態に関する障害情報のみが集中監視装置３００に伝送される。「全項目監視モード」では、全ての監視項目に対応する障害情報が集中監視装置３００に伝送される。
【００５０】
すなわち、宅内伝送装置１０．１〜１０．ｎの設置の形態や加入者と局側との契約の形態に応じて、宅内伝送装置１０．１〜１０．ｎの障害のうち、どの範囲までを監視するかを示す監視モードが設定される。
【００５１】
ＣＰＵ１３１において障害情報送出タスクを実現する障害情報送出部１３６では、障害通知判断タスクから通知された障害の発生／復旧をＳＮＭＰトラップとして集中監視装置３００に通知する。また、障害情報送出部１３６は、現在発生しているものとして障害通知判断タスクから通知された全障害をメモリ１５０に対して記録しておき、集中監視装置３００からのポーリング（ＳＮＭＰでのＧｅｔＮｅｘｔＲｅｑｕｅｓｔを使用）により全障害を集中監視装置３００に返すものとする。
【００５２】
集中監視装置３００は、パーソナルコンピュータ上にＳＮＭＰマネージャを搭載した形で実現する。集中監視装置３００は、ＳＮＭＰ送受信部３０２を介して、局側伝送装置１００および宅内伝送装置１０．１〜１０．ｎで発生した障害を示す障害情報を受取り、障害データベース３０４に登録してゆく。また、集中監視装置３００は、さらに、所定の時間間隔、たとえば、１０分に１度の間隔で集中監視装置３００が監視している全局側伝送装置１００の発生中の障害情報をＧｅｔＮｅｘｔＲｅｑｕｅｓｔによりポーリングし、障害データベース３０４の内容と比較する。ここで、障害データベース３０４の内容と発生中の障害情報を比較し、差異があれば障害データベース３０４に登録する。また障害発生時及びポーリングの度に、クエリ（Ｑｕｅｒｙ）部３０６により発生中の障害を障害データベース３０４から抽出し、グラフィカルユーザインタフェース（ＧＵＩ）部３０８に表示する。
【００５３】
したがって、集中監視装置３００において、障害データベース３０４に記録され、かつ、ＧＵＩ部３０８により表示される障害の種類は、局側伝送装置１００において、各宅内伝送装置１０．１〜１０．ｎに対応して監視項目として設定されている障害に限定される。したがって、集中監視装置３００における障害情報表示に対する視認性が向上する。
【００５４】
さらに、上述した障害通知判断部１３５の動作によれば、集中監視装置３００からのＧｅｔＮｅｘｔＲｅｑｕｅｓｔにより、局側伝送装置１００からは、監視項目に相当する情報のみが、集中監視装置３００に送信される。したがって、宅内伝送装置１００に障害がない時および監視項目には障害がない時は、集中監視装置３００の障害データベース３０４において記憶される宅内伝送装置１００の状態について更新処理は行われない。したがって、このような処理によっても、ＧＵＩ部３０８の表示が変化することがないので、視認性が向上する。
【００５５】
このような構成において、局側伝送装置１００から集中監視装置３００への通知にＳＮＭＰトラップを使用すると、集中監視装置３００にＳＮＭＰマネージャを利用することができるため、ＳＮＭＰマネージャを搭載するコンピュータとして安価な機器を利用することができる。さらにＳＮＭＰマネージャにとっても受信するＳＮＭＰトラップのトラフィックを削減することができるため、局側伝送装置−集中監視装置間の回線容量を少ない容量で済ますことができる。
【００５６】
また、集中監視装置３００は、ポーリングにＧｅｔＮｅｘｔＲｅｑｕｅｓｔを利用することで発生中の障害を残さず取得できる。
【００５７】
図５は、図４で説明した障害通知判断部１３５の動作をさらに詳しく説明するための概念図である。
【００５８】
図５を参照して、設定情報保持部１３４に対応する設定情報メモリの或る領域には、上述したように、集中監視装置３００に対して伝送するべき保守情報の種類を指定するための複数のフィールドからなる監視テンプレートが格納されている。
【００５９】
たとえば、監視対象となる項目として、図２おいて説明した項目である、宅内伝送装置１０．１の故障状態、宅内伝送装置１０．１の電源状態（電源がオフ状態か否か）、局側伝送装置１００−宅内伝送装置１０．１間のリンク状態、宅内伝送装置１０．１−ＰＣ２．１間のリンク状態の４つの項目に対する障害情報が保守信号として伝送されるものとする。さらに、たとえば、局側伝送装置１００自身の障害情報等として、さらに、電源状態、ファンの状態などの３つの項目が監視対象となっているものとする。
【００６０】
設定情報メモリには、図３で説明したＰＨＹ１２０の複数のポート（たとえば、３２０個のポート）ごとに、上述した監視テンプレートが格納される。たとえば、監視テンプレートは、監視対象となる項目が７つであることに対応して、７ビットの情報から構成される。たとえば、あるポートに対応する監視プレート（マスクデータ）のある項目に対応するビットが”１”であれば、当該ポートについて、その項目の障害情報を集中監視装置３００に送信することが指定されているものとする。逆に、対応するビットが”０”である項目については、その項目の障害情報を集中監視装置３００には送信しないことが指定されているものとする。つまり、この監視テンプレートは、複数の障害情報のうち、いずれの障害情報を集中監視装置３００に伝送するかを決めるマスクデータである。
【００６１】
障害通知判断部１３５は、ＰＨＹ１２０の複数のポート（たとえば、３２０個のポート）ごとに、前回の障害情報と今回（現在）の障害情報とが格納される。
【００６２】
ここで、「前回の障害情報」とは、一番最近のさらに１つ前のタイミングでの障害発生時に局側伝送装置１００において検知された障害情報であり、「今回の障害情報」とは、一番最近のタイミングでの障害発生時に局側伝送装置１００において検知された障害情報である。「障害情報」は、上述した、たとえば７つの監視項目の各状態を示す７ビットのデータである。なお、監視項目の個数は、７個より多くとも、あるいは、７個よりも少なくてもよい。
【００６３】
たとえば、ＴＴＣの標準（ＴＳ−１０００：２００２／５／２３制定）によれば、障害情報は、最下位ビットから順に、「宅内伝送地の電源状態」、「局側伝送装置−宅内伝送装置間リンク状態」、「宅内伝送装置−ＰＣ間リンク状態」、「宅内伝送装置の故障状態」とすることが規定されている。
【００６４】
障害通知判断部１３５では、前回の障害情報と今回の障害情報との各ビットごとに、排他的論理和演算部１３５２で、排他的論理和演算を行う。これにより、前回に比べて、状態が変化した障害情報に対応するビットについてのみ、排他的論理和演算部１３５２の出力が”１”となる。
【００６５】
障害通知判断部１３５では、さらに、ＡＮＤ回路１３５４が、排他的論理和演算部１３５２の出力の各ビットと監視テンプレートのマスタデータとの各ビットとの論理積演算を行って、その結果を障害情報送出部１３６に出力する。
【００６６】
したがって、監視テンプレートにて該当項目が通知するように設定されている項目が、以前に受信した状態から変化したことを検出した時のみ、当該保守情報（障害情報）が障害情報送出部１３６に送られることになる。
【００６７】
つまり、監視テンプレートを用いることで、監視テンプレートと、各宅内伝送装置がどの監視テンプレートに該当しているかを設定情報保持部１３４に記録するだけで済むようになり、設定情報保持部１３４の容量を低減できる。また宅内伝送装置１０．１〜１０．ｎに対する監視のレベルを簡単に設定できるようになる。さらに監視テンプレート内のフィールド（ビット）に監視内容を登録しておくため、障害通知判断部１３５では障害の種類と該当フィールドの状態を比較するだけでよく高速に判断ができる。
【００６８】
また、宅内伝送装置１０．１〜１０．ｎの故障・電源状題・リンク状態（宅内伝送装置−ユーザＰＣ間および局側伝送装置−宅内伝送装置）と、宅内伝送装置−局側伝送装置のリンク状態を、監視テンプレートでのマスク可能な項目に加えることで、集中監視装置３００にて宅内伝送装置１０．１〜１０．ｎの主要な障害を把握できるようになる。
【００６９】
さらに、宅内伝送装置の故障状態、宅内伝送装置−ユーザＰＣ間のリンク状態のように、局側伝送装置−宅内伝送装置間の通信障害が発生しても変化しない項目の場合、このような通信障害が発生すると局側伝送装置１００から見れば、該当項目は不明状態となる。言いかえると、前回の障害情報と今回の障害情報との間にこれらの項目については変化が生じないので、この時は集中監視装置３００に、局側伝送装置−宅内伝送装置間の通信障害が発生しても変化しない項目については通知がされない。これらの項目については、その後、局側伝送装置−宅内伝送装置間の通信障害が復旧した時、障害発生前の元と同じ状態ならば集中監視装置３００に通知しないことで不要な通知を削減する。このことは、同時に、集中監視装置３００における障害情報の視認性を向上させることにもなる。
【００７０】
例えば、宅内伝送装置−ユーザＰＣ間がリンクアップしている状態で、宅内伝送装置１０．１の電源を切った時は電源断のみを通知し、その後電源を再度入れた時にリンクアップ状態のままであれば電源投入のみが、集中監視装置３００に通知される。
【００７１】
［実施の形態２］
実施の形態１の説明では、監視テンプレートを使用することで、局内伝送装置１００と集中監視装置３００との間の通信トラフィックを低減する構成について説明した。
【００７２】
ただし、局内伝送装置１００と集中監視装置３００との間の通信トラフィックを低減するには、監視テンプレートの代わりに、図４で説明したＣＰＵ１３１上で機能する監視エージェントの障害通知判断部１３５が、設定情報保持部１３４に保持された情報に応じて指定された監視モードに対応するオートマトンとして動作するようにプログラムし、指定された障害情報のみが、局内伝送装置１００から集中監視装置３００に伝送される構成としてもよい。実施の形態２の局側伝送装置の構成は、このようなＣＰＵ１３１の奏する機能以外は、基本的に、実施の形態１の局側伝送装置１００の構成と同様である。
【００７３】
［各監視モードの動作］
以下では、監視モードの内容と、宅内伝送装置１０．１〜１０．ｎの障害のうち、どの範囲までを監視するかを示す監視モードに応じて動作するオートマトンの動作とについて説明する。
【００７４】
実施の形態１と同様に、このような監視モードは、宅内伝送装置１０．１〜１０．ｎの設置の形態や加入者と局側との契約の形態に応じて設定される。
【００７５】
より詳しく説明すると、たとえば、加入者が通信事業者から宅内伝送装置１０．１をレンタルしている場合は、「宅内伝送装置故障監視モード」を指定し、レンタル品の故障を監視する。
【００７６】
さらに、加入者が宅内伝送装置１０．１をレンタルし、かつプレミアム・ユーザとして契約している時は、「宅内伝送装置故障・通信異常監視モード」に設定し、さらにＱｏＳ（Ｑｕａｌｉｔｙ　ｏｆ　Ｓｅｒｖｉｃｅ）設定をハイ・プライオリティとし、障害をログに記録するように設定する。
【００７７】
また、加入者が宅内伝送装置１０．１を流通業者より購入した場合は、たとえば、局側と加入者との間には宅内伝送装置の故障等に関して直接の契約関係はないので、「無監視モード」を使用し、トータルの監視量を低減する。
【００７８】
加入者が宅内伝送装置１０．１を購入しており、かつプレミアム・ユーザとして契約している時は、「通信異常監視モード」に設定し、さらにＱｏＳをハイ・プライオリティとし、障害をログに記録するように設定する。
【００７９】
さらに、集合住宅に宅内伝送装置１０．１を１台設置し、レイヤ２スイッチにて集合住宅内の加入者のＰＣにパケットを分配する場合は、宅内伝送装置１０．１の電源断や宅内伝送装置−レイヤ２スイッチ間のリンクダウンでも多くの加入者が影響を受けるため、該当宅内伝送装置１０．１を全項目監視モードに設定し、障害をログに記録するように設定する。
【００８０】
以下、図４を再び参照して、実施の形態２においては、設定情報保持部１３４に保持された情報に応じて指定された監視モードに対応して動作するＦＰＧＡ１３０では、宅内伝送装置１０．１が保守信号を送信してきた時は、保守信号受信部１３１がその通知を障害通知判断部１３５に渡し、宅内伝送装置−局側伝送装置間の物理層のリンクがリンクダウンした時は、通信状態検出部１３２がその通知を障害通知判断部１３５に渡す。
【００８１】
障害通知判断部１３５では、設定情報メモリから各宅内伝送装置の監視モードを読み出すとともに、まず、（無監視モード以外なら）現在の状態を保持する。
【００８２】
その上で、当該宅内伝送装置１０．１が「無監視モード」に設定されている場合は、該当通知を無視する。
【００８３】
以下、当該宅内伝送装置１０．１が「無監視モード」以外の監視モードに指定されている場合の障害通知判断部１３５の動作について、順次説明する。
【００８４】
まず、「宅内伝送装置故障監視モード」の動作について説明する。
図６は、局内伝送装置１００において、「宅内伝送装置故障監視モード」を実行する監視エージェントとしての障害通知判断部１３５の動作を説明するための状態遷移図である。
【００８５】
当該宅内伝送装置１０．１が「宅内伝送装置故障監視モード」に指定されているなら、障害通知判断部１３５では、通信状態検出部１３２からの通知や電源断など情報を無視し、保守信号パケットの中の故障状態のみで「通常状態」←→「故障状態」の間を遷移する。
【００８６】
次に、「通信異常監視モード」の動作について説明する。
図７は、局内伝送装置１００において、「通信異常監視モード」を実行する監視エージェントとしての障害通知判断部１３５の動作を説明するための状態遷移図である。
【００８７】
当該宅内伝送装置１０．１が「通信異常監視モード」に指定されているなら、障害通知判断部１３５は、保守信号として局側伝送装置−宅内伝送装置間リンクのリンクダウンが検出されるか、通信状態検出部１３２にて宅内伝送装置−局側伝送装置間リンクのリンクダウンが検出されかつ保守信号受信部１３１にて電源断を受信しなかった時のみ通信異常状に移行し、これら障害が両方解除された時のみ通常状態に移行する。
【００８８】
次に、「宅内伝送装置故障・通信異常監視モード」の動作について説明する。図８は、局内伝送装置１００において、「宅内伝送装置故障・通信異常監視モード」を実行する監視エージェントとしての障害通知判断部１３５の動作を説明するための状態遷移図である。
【００８９】
該当宅内伝送装置１０．１が、「宅内伝送装置故障・通信異常監視モード」に指定されている場合、障害通知判断部１３５は、保守信号受信部１３１にて宅内伝送装置１０．１の故障を検出した時のみ通常状態から故障状態へ移行し、故障が復旧した時のみ通常状態に移行する。同様に、障害通知判断部１３５は、局側伝送装置−宅内伝送装置間のリンクがリンクダウンする保守信号を受信するか、保守信号受信部１３１が電源断の保守信号を受信せずに宅内伝送装置−局側伝送装置がリンクダウンした時のみ通信異常状態に移行し、これらがすべて復旧した時のみ通常状態に移行する。「故障状態」←→「通信異常状態」の間は、この場合には、受信した保守信号の信頼性が低いため、直接遷移することはない。
【００９０】
次に、「全監視モード」の動作について説明する。
図９は、局内伝送装置１００において、「全監視モード」を実行する監視エージェントとしての障害通知判断部１３５の動作を説明するための状態遷移図である。
【００９１】
全監視モードでは、基本的に、受信した信号の通りに状態遷移を行う。
ただし、保守信号受信部１３１にて電源断を受信し、その直後（一定のしきい値以内の時間で）通信状態検出部１３２にて宅内伝送装置−局側伝送装置間リンクダウンを検出した時は、電源断状態に移行する。すなわち、この場合は、通信状態検出部１３２からの通知を無視する。
【００９２】
また、宅内伝送装置−局側伝送装置間のリンクがリンクアップした後（一定しきい値以内の時間）は、宅内伝送装置−ＰＣ間リンク状態は保守信号の情報を使用せず、リンクダウン直前の情報を使用する。
【００９３】
障害通知判断部１３５では、上記状態遷移が発生する度に障害情報送出部１３６に該当障害を通知する。またログを残すように設定されている宅内伝送装置に対しては、障害の発生／復旧の度にログを記録してゆく。このようなログの記録は、ＣＰＵ１３１上の障害通知判断部１３５が、メモリ１５０にアクセスすることにより行われる。
【００９４】
以上説明したとおり、監視テンプレートではなく監視モードに応じた動作をするオートマトンを監視エージェントとして使用することで、設定情報保持部１３４の容量を低減でき、かつ、各宅内伝送装置１０．１〜１０．ｎに対する監視レベル（監視のプライオリティ）の設定の簡単化が実現できる上、監視モード毎に障害情報のマスク以外の機能、たとえば、ＱｏＳやログの記録等の機能と連動させることができる。
【００９５】
さらに、上述した、少なくとも宅内伝送装置の監視を全く行わないモード、宅内伝送装置が故障した時のみ通知するモード、宅内伝送装置１０．１〜１０．ｎの故障か局側伝送装置−宅内伝送装置問の通信異常を通知するモードを用意することで、障害情報の通知を最小限に留めながら加入者データ通信システムを運用する事業者が迅速に障害に対応できるようになる。特に、加入者による宅内伝送装置１０．１〜１０．ｎの電源の操作に左右されず障害を適切に判断できるモードを用意することにより集中監視装置３００は不要な障害通知を受けずに動作ができる。
【００９６】
さらに、オートマトンを採用することにより状態遷移と集中監視装置３００への通知を明確に定義することができるようになる。特に、通信障害等で監視項目が不明状態になっても状態遷移を行わないようにすることで、不明状態とその前の状態を記録する必要がなくなる。
【００９７】
また、宅内伝送装置１０．１〜１０．ｎが故障した時のみ故障状態に、故障が直った時のみ通常状態に遷移することで、電源断や通信障害が発生しても故障中の宅内伝送装置１０．１〜１０．ｎを限定できる．加入者による宅内伝送装置１０．１〜１０．ｎの電源断、移設に伴う局側伝送装置−宅内伝送装置間のリンク断、ＰＣ電源断等による宅内伝送装置−ＰＣ間のリンク断等の影響を受けないため、通信事業者は最小限のトラフィックにより宅側伝送装置１０．１〜１０．ｎの故障を把握できる。
【００９８】
さらに、宅内伝送装置１０．１〜１０．ｎが故障した時のみ故障状態に、また通信異常が発生したら通信異常状態に遷移することとし、さらに通常状態に遷移する条件を限定することにより、電源断等が発生しても故障中・通信異常中の宅内伝送装置１０．１〜１０．ｎを限定できる。
【００９９】
［付加的な機能］
なお、以下の機能は、実施の形態１の監視テンプレートの設定、または、実施の形態２のオートマトンの定義により実現可能なものである。
【０１００】
例えば、ある種類の障害が発生すると必ず別の種類の障害が発生する時、自明な障害を通知しないことで不要な通知を削減するとともに集中監視装置３００の視認性を向上する。例えば、宅内伝送装置１０．１〜１０．ｎにて電源投入後しばらく経って宅内伝送装置−ＰＣ間のリンクがリンクアップするような物理レイヤ処理のためのＩＣ（Ｉｎｔｅｇｒａｔｅｄ　Ｃｉｒｃｕｉｔ）を使用していた場合、電源を切る前にリンクアップしており、かつ電源再投入後もリンクアップしているなら、リンクアップの障害（復旧）は通知しないものとする。
【０１０１】
あるいは、例えば、宅内伝送装置１０．１〜１０．ｎに電源断時に、ダイイングギャスプ（ＤｙｉｎｇＧａｓｐ）を送出する機能がある場合、宅内伝送装置１０．１〜１０．ｎの電源を切ると局側伝送装置１００はＤｙｉｎｇＧａｓｐ受信後に該当通信ポートがリンクダウンとなる。しかし集中監視装置３００では電源断の信号を受ければ該当通信ポートがリンクダウンとなるのは自明である。そこで、このリンクダウン通知を行わないようにマスクすることで不要な通知を削減するとともに集中監視装置の視認性を向上する。宅内伝送装置１０．１〜１０．ｎの電源状態・故障状態・リンク状態と宅内伝送装置−局側伝送装置間の通信状態を個別に集中監視装置に通知することが出来、集中監視装置での処理が簡単になる。
【０１０２】
さらに、障害情報送出部１３６にて作成される集中監視装置３００への通信パケットには、少なくとも通信可能状態と、局側伝送装置リンク断状態と、宅内伝送装置故障状態と、宅内伝送装置電源断状態と、宅内伝送装置リンク断状態を示す情報を含ませることができる。このようにすることで、宅内伝送装置１０．１〜１０．ｎに関する局側伝送装置１００から集中監視装置３００への通知を１パケットにまとめることにより、局側伝送装置−集中監視装置間のトラフィックを低減することができる。また、集中監視装置３００側で宅内伝送装置１０．１〜１０．ｎの現在の状況を簡単に知ることができる。例えば、宅内伝送装置１０．１〜１０．ｎの電源が切れている場合、集中監視装置３００は、宅内伝送装置１０．１〜１０．ｎが電源断状態であることを判断できることで、他の監視項目が不明状態であることを適切に処理できる。
【０１０３】
さらに、電源断や通信障害により宅側伝送装置の監視項目が取得できなくなった場合でも、取得できなくなる直前の情報を付加することにより集中監視装置３００での障害解析の判断材料とすることができるようになる。例えば、電源断が発生した時に、局側リンク断通知に電源断を受信した信号を付加することで宅側伝送装置がリンク断を起こしたことが判るようになる。また、宅側伝送装置→局側伝送装置がリンク断になった時に、局側伝送装置→宅側伝送装置のリンクが断になっていたかどうかの情報により通信障害の発生原因を推定しやすくなる。
【０１０４】
また、局側伝送装置１００から集中監視装置３００への通知にＳＮＭＰトラップを使用すると、集中監視装置３００にＳＮＭＰマネージャを利用することができるため、ＳＮＭＰマネージャを搭載するコンピュータとして安価な機器を利用することができる。さらにＳＮＭＰマネージャにとっても受信するＳＮＭＰトラップのトラフィックを削減することができるため、局側伝送装置−集中監視装置間の回線容量を少ない容量で済ますことができる。
【０１０５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１０６】
【発明の効果】
以上説明したとおり、本発明によれば、宅内伝送装置ごとに監視内容を限定するため、集中監視装置では必要な監視項目のみを監視でき、視認性を向上することができる。さらに監視しない項目に対しては余分なトラフィックが発生しないため、局側伝送装置−集中監視装置間の伝送容量を減らすことが可能で、集中監視装置の規模を小さくすることができる。
【０１０７】
また、宅内伝送装置ごとに監視内容を設定するため、例えば、一般加入者に対しては一切監視をしない設定に、通信事業者が宅内伝送装置をレンタルしている場合は宅内伝送装置の故障のみを監視する設定に、遠距離の宅内伝送装置のように通信状態が不安定な加入者に対しては通信障害のみを監視する設定に、１棟につき宅内伝送装置一台が設けられる集合住宅や企業に対しては伝送装置の故障、通信障害、宅内伝送装置−集合住宅／企業内レイヤ２スイッチとのリンク状態を監視するといった監視設定が可能となる。
【図面の簡単な説明】
【図１】本発明の局側伝送装置１００を用いたネットワークの構成を説明するための概念図である。
【図２】図１で説明した保守信号が伝送する保守情報（障害情報）の例を説明するための概念図である。
【図３】局側伝送装置１００の構成の構成を説明するための概略ブロック図である。
【図４】図３で説明した局側伝送装置１００、特にＦＰＧＡ１３０の動作と、集中監視装置３００の動作を説明するための機能ブロック図である。
【図５】図４で説明した障害通知判断部１３５の動作をさらに詳しく説明するための概念図である。
【図６】「宅内伝送装置故障監視モード」を実行する監視エージェントとしての障害通知判断部１３５の動作を説明するための状態遷移図である。
【図７】「通信異常監視モード」を実行する監視エージェントとしての障害通知判断部１３５の動作を説明するための状態遷移図である。
【図８】「宅内伝送装置故障・通信異常監視モード」を実行する監視エージェントとしての障害通知判断部１３５の動作を説明するための状態遷移図である。
【図９】「全監視モード」を実行する監視エージェントとしての障害通知判断部１３５の動作を説明するための状態遷移図である。
【符号の説明】
１０．１〜１０．ｎ　宅内伝送装置、２．１〜２．ｎ　パーソナルコンピュータ、１２　光ファイバ、２０　電話局、３０　公衆回線網、１００　局側伝送装置、１１０　光リンク部、１２０　物理リンク部、１３０　ＦＰＧＡ、１３１　保守信号受信部、１３２　通信状態検出部、１３３　装置状態検出部、１３４　設定情報保持部、１３５　障害通知判断部、１３６　障害情報送出部、１３７　障害通知Ｉ／Ｆ、１４０　レイヤ２スイッチ、２００　レイヤ３スイッチ、３００　集中監視装置、３０２　ＳＮＭＰ送受信部、３０４　障害データベース、３０６　クエリ部、３０８　ＧＵＩ。
【図１】
2004015645.tif 000003
【図２】
2004015645.tif 000004
【図３】
2004015645.tif 000005
【図４】
2004015645.tif 000006
【図５】
2004015645.tif 000007
【図６】
2004015645.tif 000008
【図７】
2004015645.tif 000009
【図８】
2004015645.tif 000010
【図９】
2004015645.tif 000011